(57)【要約】【課題】  太陽光発電による照明器具の利用および太陽電池パネルによる充電に適しながら可搬型に向くようにする。【解決手段】  正面に太陽電池パネル２を有すると共に背面に肩掛けベルト３類を有し適宜位置に照明器具４を有してなる投光器において、本体部１が安定手段１０を有すると共に、この安定手段１０が上端部１１ｃを本体部１に枢着させて下端を揺動可能にして本体部１との間の角度を可変にする支持脚１１を有してなり、この支持脚１１の下端を本端部１の下端と共に任意の設置部位に当接させることで本体部１を傾斜状態に安定させてなる。【選択図】  図１
2009016066.tif 000002
【特許請求の範囲】
【請求項１】
正面に太陽電池パネルを有すると共に背面に肩掛けベルト類を有し適宜位置に照明器具を有してなる投光器において、本体部が安定手段を有すると共に、この安定手段が上端部を本体部に枢着させて下端を揺動可能にして本体部との間の角度を可変にする支持脚を有してなり、この支持脚の下端を本端部の下端と共に任意の設置部位に当接させることで本体部を傾斜状態に安定させてなることを特徴とする投光器。
【請求項２】
支持脚が左右部とこの左右部に連続する底部とを有して正面形状をＵ字状にするように形成されてなる請求項１に記載の投光器。
【請求項３】
支持脚が左右部とこの左右部に連続する底部とを有して正面形状をＵ字状にするように形成されながら左右部あるいは底部に把持部あるいは引き手を有してなる請求項１または請求項２に記載の投光器。
【請求項４】
安定手段において、本体部に枢着される支持脚の上端部に基端部が固定状態に連結されるリンク部材を有すると共に、このリンク部材の先端部に上端部が枢着されると共に下端側が本体部に枢着されながら上端部への外力の入力時に上端部を移動させてリンク部材を揺動させる操作ロッドを有し、この操作ロッドに介装されて附勢力をリンク部材の先端部に作用する附勢バネを有し、操作ロッドの上端部とリンク部材の先端部との枢着点位置がリンク部材における基端部の支持脚における上端部に対する枢着点と操作ロッドの下端側における本体部に対する枢着点とを結ぶ直線上から偏芯されてなる請求項１、請求項２または請求項３に記載の投光器。
【請求項５】
操作ロッドの下端側における本体部に対する連繋長さが可変とされてなる請求項４に記載の投光器。
【請求項６】
操作ロッドに介装の附勢バネにおける上端位置が操作ロッドの軸線方向に移動可能とされてなる請求項４または請求項５に記載の投光器。
【発明の詳細な説明】
【技術分野】
【０００１】
この発明は、投光器に関し、特に、可搬型に形成されながら太陽光発電による照明器具の利用を可能にする投光器の改良に関する。
【背景技術】
【０００２】
可搬型に形成されながら太陽光発電による照明器具の利用を可能にする投光器としては、これまでに種々の提案があるが、その中で、たとえば、特許文献１には、地上などの任意の設置部位に設置される本体部が正面に太陽電池パネルを有しながら背面に肩掛けベルトを有してなるとする投光器についての開示がある。
【０００３】
すなわち、この特許文献１に開示の提案にあっては、本体部が蓄電池および充放電回路を装備する電源装置からなるとしており、この本体部が任意の設置部位に設置されるときの安定で太陽電池パネルの安定が保障され、また、太陽電池パネルにおける傾斜状態の維持が保障されるとしている。
【０００４】
それゆえ、この特許文献１に開示の提案にあっては、本体部における正面側と背面側とを結ぶ奥行方向の幅が可能な限りに大きく設定されることで、本体部における安定が保障されることになり、太陽電池パネルにおける安定が保障されることになる。
【特許文献１】特開２００５‐５６８０１（要約、明細書中の段落００１４、同００１５、同００１６、同００２０、図１参照）
【発明の開示】
【発明が解決しようとする課題】
【０００５】
しかしながら、上記した特許文献１に開示の投光器にあっては、太陽電池パネルによる充電および爾後の照明器具の利用について、基本的に問題がある訳ではないが、その利用状況を鑑みると、些かの不具合があると指摘される可能性がある。
【０００６】
すなわち、上記した特許文献１に開示の提案にあっては、太陽電池パネルにおける安定が本体部の任意の設置部位への設置時おける安定に依存するとしているから、本体部について看ると、これが大型化されるなどして重量を大きくすることが好ましいことになる。
【０００７】
その結果、この言わば従来の投光器にあっては、全体の重量が大きくなったり嵩張ったりすることになって、これを可搬型に設定する場合に不利な要素になり、その汎用性の向上を期待できなくする危惧がある。
【０００８】
この発明は、上記した事情を鑑みて創案されたものであって、その目的とするところは、可搬型にして太陽電池パネルによる充電および爾後の照明器具の利用を可能にし、その汎用性の向上を期待するのに最適となる投光器を提供することである。
【課題を解決するための手段】
【０００９】
上記した目的を達成するために、この発明による投光器の構成を、基本的には、正面に太陽電池パネルを有すると共に背面に肩掛けベルト類を有し適宜位置に照明器具を有してなる投光器において、本体部が安定手段を有すると共に、この安定手段が上端部を本体部に枢着させて下端を揺動可能にして本体部との間の角度を可変にする支持脚を有してなり、この支持脚の下端を本端部の下端と共に任意の設置部位に当接させることで本体部を傾斜状態に安定させてなるとする。
【発明の効果】
【００１０】
それゆえ、投光器にあって、正面に太陽電池パネルを有する本体部の背面に配設の安定手段において、上端部を本体部に枢着させる支持脚の下端が揺動可能とされて本体部との間の角度を可変にするから、言わば傾斜する支持脚で本体部を傾斜状態に支持することが可能になり、太陽電池パネルを傾斜させることが可能になる。
【００１１】
その一方で、本体部と支持脚とは、任意の設置部位たる、たとえば、地面との間でいわゆる三角形状の安定形状を呈することになるから、太陽電池パネルを有する本体部の重量を大きくして安定性を得ることを回避しながら、たとえば、風で揺れたり、倒れたりすることを阻止し得ることになる。
【００１２】
その結果、この発明よれば、本体部たる電源装置からの給電で照明器具の利用が可能になるのはもちろんのこと、本体部の重量をいたずらに大きくすることを回避できるから、可搬型にするのに向き、また、本体部が有する太陽電池パネルにおけるパネル面を最適な状態に太陽に対面させ得ることになり、充電のための太陽光を効率よく取り込めることになる。
【発明を実施するための最良の形態】
【００１３】
以下に、図示した実施形態に基づいて、この発明を説明するが、この発明による投光器は、図１および図２に示すように、本体部１と、太陽電池パネル２(図１参照)と、肩掛けベルト３（図１参照）と、照明器具４とを有し、さらには、安定手段１０を有してなるとしている。
【００１４】
すなわち、この投光器にあって、本体部１は、図１中で左側面となる正面に太陽電池パネル２を有しながら図１中で右側面となる背面に肩掛けベルト３を有して可搬型とされ、また、適宜位置に、すなわち、図示するところでは、本体部１の上端に照明器具４を有してなるとしている。
【００１５】
そして、この本体部１は、図示しないが、蓄電池および充放電回路を装備する電源装置からなるとしており、これによって、太陽電池パネル２による、すなわち、太陽光発電によって発生した電源の蓄電池への充電を可能にし、また、この蓄電池から供給される電源による照明器具４の利用を可能にするとしている。
【００１６】
ちなみに、太陽電池パネル２については、周知の構成のものとされ、たとえば、いわゆる一枚物に形成のものが利用され、あるいは、複数枚で形成されるものが利用されるとし、さらには、パネル角度を自由に変えることのできる構成を有するとしても良い。
【００１７】
また、照明器具４についても、周知の構成のものとされ、単体からなるとし、あるいは、複数体からなるとするなど自由であり、また、投光方向を変更できるなど、自由に構成されて良い。
【００１８】
そして、肩掛けベルト３については、本体部１を可搬型に設定し得る限りには、自由に設定されて良く、したがって、これに代えて、たとえば、肩掛けフレームや肩掛けロープ類など任意のものが選択されて良く、さらには、いわゆる背負うときのフィーリングを善くするためのパット３ａが本体部１の背面に併設されるのが良い。
【００１９】
つぎに、安定手段１０についてであるが、この発明における安定手段１０は、基本的には、本体部１に対するいわゆる開脚操作を可能にする支持脚１１を有してなり、図示しないが、この支持脚１１を言わば開脚させて、支持脚１１の下端を本端部１の下端と共に任意の設置部位、たとえば、地面に当接させて、本体部１、支持脚１１および地面との間で安定形状たるいわゆる三角形状を出現させ、本体部１の安定した状態での設置を具現化させるとしている。
【００２０】
そして、本体部１の安定した状態での設置が可能とされることで、使用時における投光器の転倒などを効果的に阻止し得ることになると共に、本体部１が有する太陽電池パネル２を傾斜状態に維持し、その結果、太陽電池パネル２におけるパネル面を最適な状態に太陽に対面させ得ることになる。
【００２１】
少し説明すると、支持脚１１は、図示するところでは、左右部１１ａとこの左右部１１ａに連続する底部１１ｂとを有して正面形状をＵ字状にするように形成されてなるとするもので、支持脚１１がこのようにＵ字状に形成されることで、この支持脚１１における機械的強度を保障し得ると共に本体部１に対するいわゆる開脚操作するときの左右部１１ａの同期した作動を保障し得ることになる。
【００２２】
また、支持脚１１が左右部１１ａとこの左右部１１ａに連続する底部１１ｂとを有するＵ字状に形成されるとき、左右部１１ａあるいは底部１１ｂに、図示しないが、把持部あるいは引き手を有してなるとする場合には、この把持部あるいは引き手を利用しての支持脚１１のいわゆる開脚動作を容易に実践し得ることになる。
【００２３】
ところで、この発明における安定手段１０にあっては、図３および図４にも示すように、リンク部材１２と操作ロッド１３とを有してなるとしており、たとえば、操作ロッド１３の上端部１３ａへの外力の入力時にこの上端部１３ａを移動させてリンク部材１２を揺動させ、支持脚１１を揺動させるとしている（図４参照）。
【００２４】
すなわち、リンク部材１２は、図示するところでは、板片状に形成されてなり、その基端部１２ａが本体部１に枢着される支持脚１１の上端部１１ｃに固定状態に連結されるとしており、図示するところでは、リンク部材１２の基端部１２ａを貫通した状態(図２参照)にリンク部材１２に固着された軸１４が本体部１に固着されたブラケット１５に枢着されると共に支持脚１１の上端部１１ｃに固着される(図２参照)としている。
【００２５】
このとき、リンク部材１２は、後述するように、支持脚１１および操作ロッド１３に対していわゆる偏芯しており、言わば斜めに、すなわち、図示するところでは、結果的に、ブラケット１５を固着させる本体部１側に向けて斜めになる状態にして支持脚１１に固着されてなるとしている（図１参照）。
【００２６】
すなわち、リンク部材１２にあって、先端部１２ｂは、図示するところでは、操作ロッド１３の二股状に形成された上端部１３ａに枢着されるとしており、このとき、操作ロッド１３にあっては、下端側１３ｂが本体部１に枢着されるとしている。
【００２７】
すなわち、操作ロッド１３は、下端側１３ｂが前記した軸１４に並行する軸１６を言わば上下方向に貫通して、この軸１６に対して移動可能とされるとするもので、このとき、軸１６は、前記したブラケット１５と上下方向で並びながら(図２参照)本体部１に固着されたブラケット１７に枢着されるとしている。
【００２８】
このとき、操作ロッド１３は、図示するところでは、全長の外周に螺条を有する螺条ロッドからなるが、図３に示すように、その軸芯線(図示せず)がリンク部材１２における基端部１２ａの支持脚１１における上端部１１ｃに対する枢着点と操作ロッド１３の下端側１３ｂにおける本体部１に対する枢着点とを結ぶ直線ａ上から偏芯されてなるとしている。
【００２９】
すなわち、このことは、この発明において、操作ロッド１３の二股状に形成された上端部１３ａとリンク部材１２の先端部１２ｂとの枢着点位置が上記した直線ａ上から偏芯されてなることを意味していることになる。
【００３０】
そして、操作ロッド１３の上端部１３ａとリンク部材１２の先端部１２ｂとの枢着点位置が偏芯するとする場合に、その偏芯方向については、前記したように、ブラケット１５を固着させる本体部１側に向けて斜めになるとするものである。
【００３１】
一方、上記の操作ロッド１３は、コイルスプリングからなる附勢バネ１８を介装させてなるとしており、この附勢バネ１８は、上記した軸１６に係止されるバネ受１８ａに下端が担持されると共に、この操作ロッド１３の上端側に螺装されたロックナット１９に係止されるバネ受１８ｂに上端が係止されるとしている。
【００３２】
そして、この附勢バネ１８の附勢力たるバネ力は、リンク部材１２の先端部１２ｂに作用するとし、したがって、リンク部材１２は、上記したように、ブラケット１５を固着させる本体部１側に向けて斜めに維持される(図３参照)ことになる。
【００３３】
そして、この状態にあるリンク部材１２の先端部１２ｂに外力を作用して、この先端部２ｂを本体部１側から離すようにすると、操作ロッド１３に介装の附勢バネ１８が押し縮められるようになり、そのまま、リンク部材１２の先端部１２ｂへの外力作用を継続すると、リンク部材１２の先端部１２ｂが上記した直線ａを越える、すなわち、いわゆるデッドポイントを超えることになり、図４に示すように、リンク部材１２が揺動され、これに伴って、支持脚１１が本体部１に対して揺動されることになる。
【００３４】
そしてまた、支持脚１１が本体部１に対して揺動されることで、前記したように、支持脚１１が本体部１に対していわゆる開脚操作されることになり、図示しないが、この支持脚１１を言わば開脚させて、支持脚１１の下端を本端部１の下端と共に任意の設置部位、たとえば、地面に当接させて、本体部１、支持脚１１および地面との間で安定形状たるいわゆる三角形状を出現させ、本体部１の安定した状態での設置を実現し得ることになる。
【００３５】
そして、同じく前記したように、本体部１の安定した状態での設置が可能とされることで、使用時における投光器の転倒などを効果的に阻止し得ることになると共に、本体部１が有する太陽電池パネル２を傾斜状態に維持し、その結果、太陽電池パネル２におけるパネル面を最適な状態に太陽に対面させ得ることになる。
【００３６】
以上のように、この発明にあっては、リンク部材１２の先端部１２ｂに上端部１３ａを枢着させる操作ロッド１３をいわゆる押すようにすることで、支持脚１１が本体部１に対して揺動することになるが、これに代えて、支持脚１１を直接いわゆる開脚操作することによっても上記したいわゆるデッドポイントを超える開脚操作が実現可能になる。
【００３７】
そして、このとき、前記したように、支持脚１１が左右部１１ａあるいは底部１１ｂに把持部や引き手を有する場合に、この把持部や引き手を利用することで、上記した支持脚１１のいわゆる開脚操作を容易に実践し得ることになる。
【００３８】
そしてまた、この発明にあっては、操作ロッド１３の下端側１３ｂにおける本体部１に対する連繋長さＬ（図３参照）をこの操作ロッド１３における下端側１３ｂに螺装のナット１３ｃの利用で、すなわち、ナット１３ｃの回動操作による螺合位置の変更で支持脚１１の揺動角度を大小調整し得ることになる。
【００３９】
また、この発明にあって、前記したロックナット１９の操作ロッド１３に対する螺合位置の変更で、附勢バネ１８におけるバネ力を大小変更し得ることになり、開脚状態の保障を優先させる上からは、附勢バネ１８のバネ力を強くし、支持脚１１の開脚操作を容易にすることを優先させる上からは、附勢バネ１８のバネ力を弱くするのが好ましいことになる。
【００４０】
以上のように、この発明にあっては、支持脚１１を本体部１に対して開脚操作するように揺動することで、本体部１の安定を容易に得ることができ、また、本体部１の傾斜状態を、すなわち、太陽電池パネル２における太陽に対する対向性を得易くするから、前記した特許文献１に開示の投光器のように、本体部が大きい重量を有するように形成されたり、大型になるように形成されたりしなくなり、可搬型に設定する上で有利となる。
【図面の簡単な説明】
【００４１】
【図１】この発明の一実施形態による投光器を一部破断して示す側面図である。
【図２】図１の投光器における部分破断背面図である。
【図３】この発明による安定手段の不使用時の状態を示す原理図である。
【図４】この発明による安定手段の使用時の状態を図３と同様に示す図である。
【符号の説明】
【００４２】
１  本体部
２  太陽電池パネル
３  肩掛けベルト
４  照明器具
１０  安定手段
１１  支持脚
１１ａ  左右部
１１ｂ  底部
１１ｃ，１３ａ  上端部
１２  リンク部材
１２ａ  基端部
１２ｂ  先端部
１３  操作ロッド
１３ｂ  下端側
１８  附勢バネ
ａ  直線
Ｌ  連繋長さ
【図１】
2009016066.tif 000003
【図２】
2009016066.tif 000004
【図３】
2009016066.tif 000005
【図４】
2009016066.tif 000006